(57)【要約】【課題】  グループ放送を行うためのグループ設定を容易に確認することができる告知放送システムを提供すること。【解決手段】  告知放送の伝送機能を備えたセンタ装置３と、センタ装置３からの告知放送を受信する複数の告知放送受信機１６とを接続した告知放送システムにおいて、センタ装置３はグループ設定データを生成するセンタ制御部と、グループ設定データ及び告知放送を送信する告知放送送信部１２とを有し、告知放送受信機１６はグループのアドレス及び音声データを記憶する受信機制御部と、受信機制御部によりデータを記憶されるグループ記憶部とを有し、受信機制御部はグループ設定データを受信すると、当該グループ設定データに含まれるグループのアドレス及び音声データを対応させてグループ記憶部に記憶させる。【選択図】  図２
2006311024.tif 000002
【特許請求の範囲】
【請求項１】
告知放送の伝送機能を備えたセンタ装置と、該センタ装置からの告知放送を受信しそれぞれ固有の個別アドレスを付与された複数の告知放送受信機とを接続して構成した告知放送システムにおいて、
上記センタ装置はグループのアドレスと当該グループを表す音声データとを対応させたグループ設定データを生成するセンタ制御部と、該センタ制御部で生成されたグループ設定データ及び上記告知放送を上記告知放送受信機に送信する告知放送送信部とを有し、
上記告知放送受信機は上記グループ設定データ及び告知放送を受信する告知放送受信部と、該告知放送受信部で受信したグループ設定データに基づいてグループのアドレス及び音声データを記憶する受信機制御部と、該受信機制御部によりデータを記憶されるグループ記憶部とを有し、
上記受信機制御部はグループ設定データを受信すると、当該グループ設定データに含まれるグループのアドレス及び音声データを対応させて上記グループ記憶部に記憶させることを特徴とする告知放送システム。
【請求項２】
上記告知放送受信機はグループのアドレスと当該グループを表す音声データとを対応させて記憶したアドレス情報記憶部と、音声を入力可能な音声入力手段と、該音声入力手段に入力された音声を識別して当該音声により表されたアドレスを出力する音声認識手段とを有し、
上記受信機制御部は上記音声認識手段からのアドレスを上記アドレス情報記憶部に記憶されているグループのアドレスに照合して、一致するアドレスがある場合には当該アドレス及びそれに対応する音声データを上記グループ記憶部に記憶させることを特徴とする請求項１記載の告知放送システム。
【請求項３】
上記告知放送受信機は上記グループ記憶部に記憶された音声データを再生する再生手段と、該再生手段に音声データを再生させる確認手段とを備えていることを特徴とする請求項１または２記載の告知放送システム。
【発明の詳細な説明】
【技術分野】
【０００１】
本発明は、センタから端末に対して各種の告知放送を行う告知放送システムに関し、特にグループアドレスの設定確認を容易に行うことができる告知放送システムに関する。
【背景技術】
【０００２】
従来、集合住宅や戸建て住宅で用いられる告知放送システムは、告知放送の伝送機能を有するセンタ装置と、端末側である各集合住宅に設けられる告知放送受信機とを例えばＣＡＴＶ線路を利用して接続して構成されていた。そして、センタ側から端末側に向けて各種の告知放送を行うようにしていた。告知放送には天災や火災等の非常時の避難や防災についての緊急性を有する緊急放送や、連絡や催し物の案内等に関するものであって緊急性を要しない一般告知放送、更には学校別・サークル別の連絡などグループを選別して告知放送を行うグループ告知放送等の種類がある。このような告知放送システムとしては、例えば特許文献１に記載されているものがある。
【特許文献１】特開平９−８７５３号公報
【０００３】
グループ放送を行う場合には、告知放送に対象端末が設定されたグループを指定して送信する。そして、各告知放送受信機は受信した告知放送に指定されたグループが自端末の属するグループか否か判断し、自端末の属するグループである場合に告知放送を行う。
【発明の開示】
【発明が解決しようとする課題】
【０００４】
しかしながら、従来の告知放送システムには以下に述べる問題点を有している。グループ放送を行うには予め告知放送受信機にグループアドレスを設定しておく必要がある。グループアドレスの設定はセンタ装置からグループ設定データを送信することによって行うが、グループ設定データにより正常に設定することができたか否か容易に確認する手段がない。
【０００５】
本発明は上記課題を鑑みてなされたものであり、設定されたグループアドレスの確認を容易に行うことができる告知放送システムを提供することを目的とする。
【課題を解決するための手段】
【０００６】
上記課題を解決するため、本発明に係る告知放送システムは、告知放送の伝送機能を備えたセンタ装置と、該センタ装置からの告知放送を受信しそれぞれ固有の個別アドレスを付与された複数の告知放送受信機とを接続して構成した告知放送システムにおいて、
上記センタ装置はグループのアドレスと当該グループを表す音声データとを対応させたグループ設定データを生成するセンタ制御部と、該センタ制御部で生成されたグループ設定データ及び上記告知放送を上記告知放送受信機に送信する告知放送送信部とを有し、
上記告知放送受信機は上記グループ設定データ及び告知放送を受信する告知放送受信部と、該告知放送受信部で受信したグループ設定データに基づいてグループのアドレス及び音声データを記憶する受信機制御部と、該受信機制御部によりデータを記憶されるグループ記憶部とを有し、
上記受信機制御部はグループ設定データを受信すると、当該グループ設定データに含まれるグループのアドレス及び音声データを対応させて上記グループ記憶部に記憶させることを特徴として構成されている。
【０００７】
また、本発明に係る告知放送システムは、上記告知放送受信機はグループのアドレスと当該グループを表す音声データとを対応させて記憶したアドレス情報記憶部と、音声を入力可能な音声入力手段と、該音声入力手段に入力された音声を識別して当該音声により表されたアドレスを出力する音声認識手段とを有し、
上記受信機制御部は上記音声認識手段からのアドレスを上記アドレス情報記憶部に記憶されているグループのアドレスに照合して、一致するアドレスがある場合には当該アドレス及びそれに対応する音声データを上記グループ記憶部に記憶させることを特徴として構成されている。
【０００８】
さらに、本発明に係る告知放送システムは、上記告知放送受信機は上記グループ記憶部に記憶された音声データを再生する再生手段と、該再生手段に音声データを再生させる確認手段とを備えていることを特徴として構成されている。
【発明の効果】
【０００９】
本発明に係る告知放送システムによれば、受信機制御部はグループ設定データを受信すると、当該グループ設定データに含まれるグループのアドレス及び音声データを対応させてグループ記憶部に記憶させることにより、グループアドレスに対応して記憶されたグループの音声データを再生することでグループ設定の確認を容易に行うことができる。
【００１０】
また、本発明に係る告知放送システムによれば、告知放送受信機はアドレス入力手段に入力されたグループのアドレスがアドレス情報記憶部に記憶されたグループのアドレスと一致した場合に当該アドレス及びそれに対応した音声データをグループ記憶部に記憶させることにより、受信機側で声でアドレスを言うだけでグループのアドレスを登録することができるので、容易にアドレスを登録できる。
【００１１】
さらに、本発明に係る告知放送システムによれば、告知放送受信機は音声データを再生する再生手段を備えていることにより、グループ設定の確認を容易に行うことができる。
【発明を実施するための最良の形態】
【００１２】
本発明の実施形態について図面に沿って詳細に説明する。図１は本実施形態における告知放送システムの構成を示すブロック図である。まず、本実施形態におけるシステム構成について説明する。１は信号線としての伝送線路であり、この実施例にあってはＣＡＴＶシステムの同軸ケーブルを利用しており、このためセンタ側にはヘッドエンド２が設けられ、ヘッドエンド２よりテレビ信号を端末側に伝送している。伝送線路１上には、伝送信号を増幅するために適宜、伝送信号増幅器２９が設けられている。ヘッドエンド２側となるセンタ側にはセンタ装置３が設けられ、伝送線路１の端末側には分岐器１５の分岐端子を介して複数の告知放送受信機１６、１６が接続される。
【００１３】
センタ装置３はデータ処理及びデータ伝送制御を行う制御部４と、各告知放送受信機１６に告知放送を送信する告知放送送信部１２とから構成される。制御部４には放送信号の設定入力を行うディスプレイ９、プリンタ１０及びキーボード１１等が接続される。制御部４はマイク１３やＢＧＭ源３３による音声信号を告知放送送信部１２に送信し、この音声信号は告知放送送信部１２でＦＭ変調される。告知放送送信部１２からの出力はヘッドエンド２を介して伝送線路１に与えられる。ここで、制御部４はマイク１３やＢＧＭ源３３による音声信号の他、テープレコーダ等による音響装置からの放送信号を送信することもできる。あるいは、キーボード１１から入力されディスプレイ９に表示される文字データを符号化して放送信号として送出することもできる。さらに、ディスプレイ９を介して入力される映像によるイメージデータに適当な符号化を施して放送信号として送信することもできる。
【００１４】
制御部４から送信される告知放送には、告知放送受信機１６のスピーカにて放送される音声情報と、告知放送の種類及び告知放送の対象となる端末情報からなる種別データや放送開始／終了データなどの制御情報が含まれる。このとき、告知放送の送信開始もしくは放送終了時刻をカレンダー回路３７から読み出し告知放送の音声情報の最初もしくは最後の音声にて送信する。放送時刻は音声ではなく、データとして送ってもよい。なお、このカレンダー回路３７は告知放送受信機１６側に備えることとしてもよい。
【００１５】
種別データ等の制御情報の設定はキーボード１１の操作により行われ、まず送信する告知放送が緊急告知放送であるか一般告知放送であるかを設定する。次に、告知放送の対象となる端末装置のアドレス指定を行う。アドレス指定には、全加入端末を放送対象とする全端末指定や、サービス地域やマンション等のグループ単位でブロック分けされるグループ指定、及び加入端末を個別に指定する個別指定とがある。
【００１６】
また、制御部４は一般電話回路網５０にも接続されており、一般家庭電話、携帯電話等の電話機５１から放送日時、告知内容、放送グループ等を事前に登録することによって、指定した時間に自動的に告知放送を行うことができる。
【００１７】
次に伝送線路１の端末に設けられる告知放送受信機１６について説明する。図２に告知放送受信機１６のブロック図を示す。この図に示すように、告知放送受信機１６はセンタ装置３から送信された告知放送を受信復調する復調部２２と、この復調した告知放送に含まれる制御情報に基づき制御するマイコン１７が設けられる。マイコン１７には各種情報を記憶するメモリ３９が接続されている。
【００１８】
メモリ３９には、告知放送受信機１６毎に固有の個別アドレスと、自機が属するグループに対応するグループアドレスと、復調部２２にて復調された制御情報とが記憶される。さらに、メモリ３９にはグループアドレス設定のためのデータも記憶される。これについては後で詳述する。
【００１９】
告知放送受信機１６は、復調部２２で復調された音声情報の出力手段として、音声情報を増幅する音声アンプ２４と、スピーカ２５を有し、音声アンプ２４の前段にはスピーカ２５からの音量を調整するための音量調整部２８を備えている。また、告知放送受信機１６は、受信した告知放送の音声情報を記憶する音声メモリ３１と、音声メモリ３１に告知放送を記憶させる録音手段３０とを有している。録音手段３０は復調部２２から出力される告知放送の音声情報を録音データに変換して音声メモリ３１に記憶させる録音処理を行う。
【００２０】
センタ装置３からの告知放送は全加入端末に送信される。そして、告知放送受信機１６のマイコン１７は告知放送の制御情報に指定された端末アドレスがメモリ３９に記憶されている個別アドレス又はグループアドレスと一致する場合に自端末が放送対象であると判断し、出力手段に音声情報出力の指令信号を出力すると共に録音手段３０に録音動作の指令信号を出力する。ここで復調部２２にて復調されメモリ３９に記憶される制御情報は、音声メモリ３１の音声情報と対応が保持され、告知放送の再生、録音、消去に使用される。
【００２１】
また、マイコン１７には告知放送の出力を切り替える音声切替部３６が接続されている。音声切替部３６はマイコン１７により制御されて、復調部２２で受信した告知放送の出力と音声メモリ３１に記憶されている告知放送の再生出力とを切り替えることができる。さらに、マイコン１７には音声メモリ３１における告知放送の録音状態を知らせるための告知ランプが接続されている。告知ランプは緊急告知放送用の緊急告知ランプ３５と一般告知放送用の一般告知ランプ３４が備えられている。また、マイコン１７には、音声メモリ３１に記憶された告知放送の音声情報を再生出力させるための再生スイッチ３８が接続されている。
【００２２】
一般告知ランプ３４もしくは緊急告知ランプ３５は告知放送の録音中は点灯し、告知放送の録音が終了すると点滅状態に切り替えられる。そして、録音された告知放送を再生するための再生スイッチ３８が押された場合に消灯する。したがって、一般告知ランプ３４もしくは緊急告知ランプ３５は、告知放送の受信録音が再生スイッチ３８の操作で確認されない限り点滅状態を保つため、端末利用者が留守の間に告知放送があった場合でも、告知放送があったことを容易に知ることができる。
【００２３】
録音されている告知放送を再生させる再生スイッチ３８が押されると、再生手段であるマイコン１７は音声メモリ３１に記憶された告知放送をその重要度の高い順に選択し、スピーカ２５から再生する。すなわち端末利用者は、重要な緊急告知放送等から聞くことができるので、未確認の告知放送を確認するための時間を長くとれない場合等に便利である。
【００２４】
次にグループ放送を行うためのグループ設定について説明する。グループアドレスの設定は告知放送送信部１２からグループ設定データを各告知放送受信機１６に対して送信することによって行う。グループ設定データは告知放送と同様のフォーマットから構成され、制御情報によりデータの種類を告知放送かグループ設定のどちらかに設定することができる。すなわち、告知放送受信機１６は受信したデータが告知放送の場合には上述の告知放送処理を行い、グループ設定データの場合にはグループ設定処理を行う。
【００２５】
グループ設定データの制御情報はキーボード１１の操作により設定され、登録したいグループのアドレスと、当該グループに属する告知放送受信機１６の個別アドレスとから構成される。また、グループ名称等当該グループを表す音声データをマイク等から入力し、グループ設定データの音声情報として制御情報と共に送信する。告知放送受信機１６のマイコン１７は、復調部２２で復調されたグループ設定データの制御情報に自機を示す個別アドレスが指定されている場合に、当該グループのアドレス及び音声データを対応させてメモリ３９に記憶させる。
【００２６】
メモリ３９に記憶された音声データは、グループ設定の確認に用いられる。マイコン１７は上述の再生スイッチ３８が長押しされた場合に、メモリ３９に記憶されている音声データをスピーカ２５から再生する。音声データはグループ名称等であるので、音声データを再生することで自機に設定されているグループを容易に確認することができる。また、再生スイッチ３８をグループの確認機能と兼用させる代わりに、音声データを再生させるための専用スイッチを新たに設けることとしても良い。
【００２７】
また、マイコン１７にはマイク等の音声入力手段４０と音声認識手段４１とが接続される。音声入力手段４０にはグループ番号を音声にて入力することとし、音声認識手段４１は入力された音声を認識してグループアドレスを出力する。メモリ３９には、システム全体のグループアドレス全てとそれに対応する音声データとが対応付けて予め記憶されている。このシステム全体のグループアドレスと音声データは、告知放送受信機１６個々に予め記憶させて設置しても良いし、システムの運用開始後、センタ装置３で設定したグループアドレスと音声データを各告知放送受信機１６へダウンロードさせても良い。
【００２８】
マイコン１７は、音声認識手段４１で得られたグループアドレスが、メモリ３９に記憶されているグループアドレスのいずれかと一致した場合に当該グループのアドレス及び対応する音声データをメモリ３９に記憶させる。これによって、各告知放送受信機１６においてグループ設定を行うことができる。これにより、グループ設定データの受信によっても何らかの原因で正常に設定されなかったことが上述の設定確認で判明した場合に、端末毎にグループの再設定を容易に行うことができる。また、このように告知放送受信機１６に直接グループを設定した場合でも、設定したグループのアドレスに対応して記憶した音声データを再生することでグループ設定の成否確認も容易である。
【００２９】
なお、本実施形態においては、各告知放送受信機１６それぞれにグループアドレスと、それに対応する音声データとをセットとして送信して記憶させているが、これに限らず、予め全告知放送受信機に全グループアドレスとそれに対応する音声データを送信して記憶させた後に、告知放送受信機個々に音声情報を含まないグループアドレスのみを送信して設定するようにしても良い。この場合は、個別アドレスの指定で送信設定されたグループアドレスと予め記憶された音声データの対応を告知放送受信機内で行うことで、受信機の操作でグループ設定の確認を行うことができる。
【００３０】
以上、本発明の実施形態について説明したが、本発明の適用はこれら実施形態には限られず、その技術的思想の範囲内において様々に適用されうるものである。
【図面の簡単な説明】
【００３１】
【図１】本実施形態における告知放送システムの構成を示すブロック図である。
【図２】告知放送受信機の構成を示すブロック図である。
【符号の説明】
【００３２】
１    伝送線路
３    センタ装置
４    制御部
１２    告知放送送信部
１６    告知放送受信機
１７    マイコン
２２    復調部
３０    録音手段
３１    音声メモリ
３８    再生スイッチ
３９    メモリ
４０    音声入力手段
４１    音声認識手段
【図１】
2006311024.tif 000003
【図２】
2006311024.tif 000004